(57)【要約】【課題】上方への移動を規制して集砂受枠に対して外れにくくすることで、取付部材の保持状態を確保することができるうえ、集砂受枠の位置や姿勢を長期的に安定して維持することができる。【解決手段】上部組付け部材２及び下部組付け部材３と、下部組付け部材３内に設けられ、底板及びその両側端から立設する側板を有する溝形状の集砂受枠４とを備え、上部組付け部材２の周壁リブ２５に嵌合するとともに、集砂受枠４の両側板の上端部４Ａのそれぞれに係合する受枠保持部１２を有し、受枠保持部１２は、集砂受枠４の上端部４Ａの上方に位置する上部係止壁と、上端部４Ａの両側方に位置する側部係止壁とを備えることで、集砂受枠４を下部組付け部材３に対して保持する取付部材１０を提供する。【選択図】図１
2014080857.tif 000002
【特許請求の範囲】
【請求項１】
上下に嵌合する上部組付け部材及び下部組付け部材と、該下部組付け部材内に設けられ、底板及びその両側端から立設する側板を有する溝形状の集砂受枠と、を備え、地下において雨水を集めるとともに、外部に流出又は浸透させる雨水貯留浸透槽において、前記集砂受枠を前記下部組付け部材に対して保持するための集砂受枠の取付部材であって、
前記上部組付け部材の下面に突設して設けられるとともに、前記集砂受枠の両側板の上端部のそれぞれに係合する受枠保持部を有してなり、
該受枠保持部は、
前記集砂受枠の上端部の上方に位置する上部係止壁と、
前記上端部の少なくともいずれか一方の側方に位置する側部係止壁と、
を備えていることを特徴とする集砂受枠の取付部材。
【請求項２】
前記上部組付け部材には、その下面から垂設されて前記集砂受枠の幅方向に沿って延在する横リブが設けられ、
当該取付部材には、前記横リブに着脱可能に装着される凹溝状の嵌合凹部が形成されていることを特徴とする請求項１に記載の集砂受枠の取付部材。
【請求項３】
前記上部組付け部材には、その周壁の一部であって、前記幅方向に沿って延在する周壁リブが設けられ、
該周壁リブに前記嵌合凹部を嵌合させて装着されていることを特徴とする請求項２に記載の集砂受枠の取付部材。
【請求項４】
前記受枠保持部は、前記上部係止壁と、前記集砂受枠の一方の上端部の両側から挟持する一対の前記側部係止壁と、を有する凹形状をなしていることを特徴とする請求項１乃至３のいずれか１項に記載の集砂受枠の取付部材。
【請求項５】
前記一対の側部係止壁のうち少なくとも一方における、前記集砂受枠に対向する面には、下方に向かうに従って漸次、前記集砂受枠の上端部から幅方向に離れる方向に傾斜するテーパー面が形成されていることを特徴とする請求項４に記載の集砂受枠の取付部材。
【請求項６】
前記集砂受枠は、その上端部から前記集砂受枠の幅方向の外側に向けて延ばされた上縁カール部が設けられ、
前記側部係止壁における前記幅方向で前記集砂受枠の外側に位置する外壁部の下端には、前記上縁カール部の下端に係止するツメ部が前記集砂受枠の側板に向けて突出していることを特徴とする請求項１乃至５のいずれか１項に記載の集砂受枠の取付部材。
【請求項７】
請求項１乃至６のいずれか１項に記載の集砂受枠の取付部材を有し、地中に埋設されて道路の表面から流下した雨水を一時的に貯留するとともに外部に放出し浸透させる前記雨水貯留浸透槽を備えたことを特徴とする雨水貯留浸透設備。
【発明の詳細な説明】
【技術分野】
【０００１】
本発明は、雨水貯留浸透槽における集砂受枠の取付部材および雨水貯留浸透設備に関するものである。
【背景技術】
【０００２】
従来、地下に埋設され、雨水を一時的に貯留し、その後、外部に流出或いは地中に緩やかに浸透させるための雨水貯留浸透槽が知られている。雨水貯留浸透槽は、上下に嵌合する組付け部材と、該組付け部材のうち下部組付け部材内に設けられ、底板及びその両側端から立設する側板を有する溝形状の集砂受枠と、を備え、集砂受枠を取付部材によって下部組付け部材に固定する構成のものがある。
【０００３】
このような取付部材として、例えば下記特許文献１に示されるように、下部組付け部材の底板において集砂受枠の幅方向の両外側に立設された壁状の治具取付部が設けられ、この治具取付部の外側上端に係止する係止部と、該係止部と一体に形成されて、集砂受枠の側板における上端部の内面側に当接する保持部と、を備えた構成のものがある。この場合、取付部材の係止部と保持部との離間を広げた状態で集砂受枠の上端部及び治具取付部に係合することで、その反発力を利用して集砂受枠の上端部を取付治具の保持部と治具取付部の内面との間で挟持して集砂受枠を保持している。
【先行技術文献】
【特許文献】
【０００４】
【特許文献１】特開２００９−１３８３５４号公報
【発明の概要】
【発明が解決しようとする課題】
【０００５】
しかしながら、特許文献１の集砂受枠の取付部材では、係止部と保持部との離間を広げたときの反発力により集砂受枠の上端部を挟持する構成であるので、長期にわたる使用によって前記反発力が低下し、集砂受枠から外れるという問題があった。
【０００６】
また、上記、特許文献１では、取付部材は幅方向には動きにくいが、上方への移動が規制されていないため、下部組付け部材に集砂受枠を取り付ける施工時や、集砂受枠を高圧ジェット等を用いて洗浄する時など集砂受枠に外力が作用し、集砂受枠が浮き上がると、取付部材が集砂受枠と共に上側に移動し、取付部材が集砂受枠から外れてしまい、集砂受枠が所定位置から大きくずれるという問題があった。
【０００７】
本発明は、上述する問題点に鑑みてなされたもので、上方への移動を規制して集砂受枠に対して外れにくくすることで、取付部材の保持状態を確保することができるうえ、集砂受枠の位置や姿勢を長期的に安定して維持することができる集砂受枠の取付部材および雨水貯留浸透設備を提供することを目的とする。
【課題を解決するための手段】
【０００８】
上記目的を達成するため、本発明に係る集砂受枠の取付部材では、上下に嵌合する組付け部材と、該組付け部材のうち下部組付け部材内に設けられ、底板及びその両側端から立設する側板を有する溝形状の集砂受枠と、を備え、地下において雨水を集めるとともに、外部に流出又は浸透させる雨水貯留浸透槽において、前記集砂受枠を前記下部組付け部材に保持するための集砂受枠の取付部材であって、上部組付け部材の下面に突設して設けられるとともに、前記集砂受枠の両側板の上端部のそれぞれに係合する受枠保持部を有してなり、該受枠保持部は、下面を前記上端部に当接させることで、前記集砂受枠の浮き上がりを規制する上部係止壁と、前記上端部の側面に当接させることで、前記集砂受枠の受枠軸に対して水平方向に直交する幅方向への移動を規制する側部係止壁と、を備えていることを特徴としている。
【０００９】
本発明に係る取付部材によれば、上部組付け部材の下面から突設するように設けられており、取付部材の上方への移動が上部組付け部材によって規制され、受枠保持部の上下方向の位置が移動しない構成となる。そのため、集砂受枠が何らかの外力を受けて浮き上がろうとするときに、その上端部が受枠保持部の上部係止壁に当接しても、取付部材自体は上方へ移動することがないことから、集砂受枠の浮き上がりを上部係止壁によって規制することができる。また、集砂受枠の上端部の側方に取付部材の側部係止壁が位置するので、集砂受枠が幅方向（横方向）へ移動しようとしても、その移動が側部係止壁によって規制されることになる。
【００１０】
したがって、下部組付け部材に集砂受枠を取り付ける施工時や、集砂受枠を高圧ジェット等を用いて洗浄する時などに、集砂受枠に対して外力が作用しても、集砂受枠と共に取付部材が浮き上がったり、幅方向にずれたりすることがなく、集砂受枠に対して外れにくくなり、その保持状態を確保することができ、集砂受枠の位置や姿勢を維持することができる。そのうえ、取付部材が反発力を利用した保持構造ではないので、長期的な使用により反発力が小さくなるのに伴って保持力が低下するといった不具合も生じないことから、集砂受枠の位置や姿勢を長期的に安定して維持することができる。
【００１１】
また、取付部材が上部組付け部材に対して別体で設けられる場合であっても、取付部材が上部組付け部材によって上から押さえ付けられて姿勢が安定しているので、取付部材自体に外力が作用しても、その位置や姿勢が動くのを防止することができる。
【００１２】
さらに、本発明では、雨水貯留浸透槽を構成する上部組付け部材に対して直接、取付部材を装着することができ、従来のように取付部材と組付け部材との間に、取付部材を取り付けるための別部材が不要となるので、部材費の増大を抑えることができる。
【００１３】
また、本発明に係る集砂受枠の取付部材では、前記上部組付け部材には、その下面から垂設されて前記集砂受枠の幅方向に沿って延在する横リブが設けられ、当該取付部材には、前記横リブに着脱可能に装着される凹溝状の嵌合凹部が形成されていることが好ましい。
【００１４】
この場合、上部組付け部材に装着される取付部材は、横リブの延在方向（幅方向）に直交する受枠軸方向に沿った移動が規制される。そのため、取付部材が受枠軸方向に動くことがないので、集砂受枠に対して安定した姿勢で保持することができる。
【００１５】
また、本発明に係る集砂受枠の取付部材では、前記上部組付け部材には、その周壁の一部であって、前記幅方向に沿って延在する周壁リブが設けられ、該周壁リブに前記嵌合凹部を嵌合させて装着されていることが好ましい。
【００１６】
この場合、周壁リブを用いて取付部材を簡単に上部組付け部材に装着することができる。しかも、上部組付け部材の外周部に位置する周壁リブに取付部材が配置されるので、組付け部材の外方から取付部材を装着することが容易になり、施工性を向上させることができる。そのうえ、組み付け後においても外から見えやすいことから、集砂受枠に対する保持状態、或いは取付部材自体の上部組付け部材に対する装着状態を目視により確認し易くなるという利点がある。
【００１７】
また、本発明に係る集砂受枠の取付部材では、前記受枠保持部は、前記上部係止壁と、前記集砂受枠の一方の上端部の両側から挟持する一対の前記側部係止壁と、を有する凹形状をなしていることが好ましい。
【００１８】
この場合には、集砂受枠の上端部が上部係止壁と一対の側部係止壁とからなる凹形状部分によって跨るようにして囲まれているので、集砂受枠の浮き上がり、および幅方向への移動を確実に規制することができる。
【００１９】
また、本発明に係る集砂受枠の取付部材では、前記一対の側部係止壁のうち少なくとも一方における、前記集砂受枠に対向する面には、下方に向かうに従って漸次、前記集砂受枠の上端部から幅方向に離れる方向に傾斜するテーパー面が形成されていることが好ましい。
【００２０】
この場合には、集砂受枠の上端部の幅方向の両側に位置する側部係止壁同士の間隔の開口側（下側）が広がっているので、施工時において集砂受枠の上端部に対して受枠保持部で保持させる際の施工がし易くなり、施工性を向上させることができる。
【００２１】
また、本発明に係る集砂受枠の取付部材では、前記集砂受枠は、その上端部から前記集砂受枠の幅方向の外側に向けて延ばされた上縁カール部が設けられ、前記側部係止壁における前記幅方向で前記集砂受枠の外側に位置する外壁部の下端には、前記上縁カール部の下端に係止するツメ部が前記集砂受枠の側板に向けて突出していることが好ましい。
【００２２】
この場合には、集砂受枠の上縁カール部が取付部材のツメ部によって下方への移動も規制しているので、例えば集砂受枠がその長さ方向に沿う軸回りに回転する方向に傾いて、集砂受枠の一方の上端部が下方に移動しようとしても、ツメ部によって上縁カール部の下方への移動が規制されることになり、集砂受枠に対してより外れにくくなり、その保持状態を確保することができる。
【００２３】
また、本発明に係る雨水貯留浸透設備では、上述した集砂受枠の取付部材を有し、地中に埋設されて道路の表面から流下した雨水を一時的に貯留するとともに外部に放出し浸透させる前記雨水貯留浸透槽を備えたことを特徴としている。
【００２４】
本発明では、上述した集砂受枠の取付部材の作用効果を有する雨水貯留浸透槽を備えた雨水貯留浸透設備を地中に埋設させて設置することができる。
【発明の効果】
【００２５】
本発明の集砂受枠の取付部材および雨水貯留浸透設備によれば、上方への移動を規制して集砂受枠に対して外れにくくすることで、取付部材の保持状態を確保することができるうえ、集砂受枠の位置や姿勢を長期的に安定して維持することができる。
【図面の簡単な説明】
【００２６】
【図１】本発明の第１の実施の形態による雨水貯留浸透槽の構成を示す斜視図である。
【図２】図１に示すＡ−Ａ線矢視図であって、雨水貯留浸透槽の正面図である。
【図３】図２に示す取付部材の正面図である。
【図４】取付部材を周壁リブに装着する前の状態を示す斜視図である。
【図５】第２の実施の形態による雨水貯留浸透槽の正面図であって、図２に対応する図である。
【図６】図５に示す取付部材を上部組付け部材の中央リブに装着する前の状態を示す斜視図である。
【図７】図６に示す取付部材の正面図である。
【図８】図６に示す取付部材の斜視図である。
【図９】第３の実施の形態による雨水貯留浸透槽を示す図であって、（ａ）はその正面図、（ｂ）は（ａ）に示すＢ−Ｂ線方向から見た側面図である。
【図１０】上部組付け部材の図であって、（ａ）はその上面図、（ｂ）はその下面図である。
【図１１】図９（ａ）に示す取付部材の正面図である。
【図１２】図１１に示す取付部材の上面図である。
【図１３】第４の実施の形態の雨水貯留浸透設備を示した図であり、（ａ）はその正面図、（ｂ）はその平面図、（ｃ）はその側面図である。
【発明を実施するための形態】
【００２７】
以下、本発明の実施の形態による集砂受枠の取付部材および雨水貯留浸透設備について、図面に基づいて説明する。
【００２８】
（第１の実施の形態）
図１の符号１は、地下において雨水を集めるとともに、外部に流出又は浸透させる雨水貯留浸透槽を示している。雨水貯留浸透槽１は、上下に嵌合する上部組付け部材２及び下部組付け部材３と、下部組付け部材３内に設けられた溝形状の集砂受枠４と、を備えている。そして、本第１の実施の形態による集砂受枠４の取付部材１０は、雨水貯留浸透槽１において、集砂受枠４を下部組付け部材３に対して保持するためのものであり、上部組付け部材２の下面に突設して設けられている。
【００２９】
図１に示すように、上部組付け部材２及び下部組付け部材３は、例えば射出成形によって形成されるポリプロピレンなどの合成樹脂からなり、所望の一方向に沿って並べて設けられ、さらに縦方向Ｙにも重ねて組み合わせられることで、これら複数組の組付け部材２、３のそれぞれの内部に雨水を貯留する貯留空間Ｒを有している。このときの一方向の配列方向を、以下、「長さ方向Ｘ」という。組付け部材２、３は、嵌合により縦方向Ｙ（上下方向）に連結可能であり、長さ方向Ｘには連結させずに配置されている。なお、長さ方向Ｘに隣接する組付け部材２、３同士の適宜な連結手段により連結させることも可能である。そして、集砂受枠４は、その受枠軸Ｏを長さ方向Ｘに沿う方向に向けて配設されている。
ここで、以下の説明では、平面視で長さ方向Ｘに直交する方向であって、受枠軸Ｏに対して水平方向に直交する方向を幅方向Ｗとする。
【００３０】
上部組付け部材２は、平面視で矩形状（ここでは正方形状）の傾斜板２１を備え、その四隅の角部において上下両方に突出する嵌合継手２２が形成されている。傾斜板２１の４辺をなす外周縁部のうち３箇所には周壁部２３が形成され、周壁部２３が形成されていない１辺部分に開口部２４を形成している。上部組付け部材２は、開口部２４側が長さ方向Ｘの下流側となる位置に配置されている。つまり、傾斜板２１は、長さ方向Ｘで流通する雨水の上流側から下流側に向けて漸次、下向きとなる傾斜面が形成され、前記開口部２４側に雨水が流れる。
【００３１】
傾斜板２１は、図示しない細孔が複数設けられており、傾斜板２１上を流通する雨水の一部が前記細孔を通過して下部組付け部材３側へ流下するようになっている。また、傾斜板２１上に流れる雨水の多くは開口部２４より長さ方向Ｘの下流側に隣接される別の組付け部材へ向けて流出される。
【００３２】
また、傾斜板２１には、図２および図３に示すように、開口部２４が配される下流側の外周縁部のみから垂設されるとともに、幅方向Ｗに沿って延在する周壁リブ２５（横リブ）が設けられている（図４参照）。周壁リブ２５は、図４に示すように、平面視で幅方向Ｗに沿って延在し、その延在方向の中央部には長さ方向Ｘに延びる補強リブ２５ａが交差して形成されている。
さらに、傾斜板２１の下面には、中央リブ２６（図６参照）が縦横方向（長さ方向Ｘ及び幅方向Ｗ）に沿って設けられている。なお、前記中央リブ２６については、後述する第２の実施の形態で詳しく説明する。
【００３３】
嵌合継手２２は、図１に示すように、三角柱状で傾斜板２１の上方及び下方に向けて突出しており、その上側部分が雌型嵌合継手２２Ａをなし、下側部分が雄型嵌合継手２２Ｂをなしている。本実施の形態では雄型嵌合継手２２Ｂが下部組付け部材３の後述する雌型の嵌合継手３４に嵌合する。
【００３４】
下部組付け部材３は、上部組付け部材２と同形状の平面視で矩形状（ここでは正方形状）の底盤３１を備え、底盤３１の外周縁部から全周にわたって周壁リブ３２が立設され、平面視で周壁リブ３２の内側に中央リブ３３が縦横方向（長さ方向Ｘ及び幅方向Ｗ）、及び対角線方向等に沿って設けられている。なお、図１では、幅方向Ｗに沿う横リブ３３Ａの一部が見えている。周壁リブ３２および中央リブ３３は同じ高さで設けられ、これらリブ上端を含む平面の四隅の角部において、三角柱状で上方に突出する嵌合継手３４が形成されている。嵌合継手３４は、上端に凹部が形成された雌型の継手部であり、上部組付け部材２の雄型嵌合継手２２Ｂと嵌合する。なお、嵌合継手３４は、底盤３１とリブ３２、３３とからなるブロック体に対して一体でも別体でもよい。
【００３５】
下部組付け部材３のリブ３２、３３を含む平面上の幅方向Ｗの中央には、集砂受枠４が長さ方向Ｘに沿って載置されている。集砂受枠４は、長さ方向Ｘの一端側と他端側のそれぞれにおいて、幅方向Ｗで一対の嵌合継手３４、３４同士の間に配置され、リブ３２、３３に対して非固定状態で設けられている。
【００３６】
図１および図２に示すように、集砂受枠４は、底板４１及びその両側端から立設する側板４２、４２を有し、上端から幅方向Ｗの外側に向けて延ばされた上縁カール部４３が設けられている。この集砂受枠４は、嵌合継手３４の上端よりも低い位置となる高さ寸法となっている。ここで、本実施の形態では、前記上縁カール部４３を含む部分を上端部４Ａとして説明する。
この集砂受枠４は、組み付けられた上部組付け部材２と下部組付け部材３との間に形成される貯留空間Ｒに配置され、雨水とともに流入した土砂を集積するものであり、長さ方向Ｘに配列された複数の下部組付け部材３の全体にわたって長さ方向Ｘに連続するように配置される。
【００３７】
図４に示すように、取付部材１０は、上部組付け部材２の周壁リブ２５に着脱可能に装着され、幅方向Ｗに沿って延在する凹溝状に形成された嵌合凹部１１と、集砂受枠４の両側板４２の上端部４Ａのそれぞれに係合する受枠保持部１２を有している。
嵌合凹部１１は、周壁リブ２５に嵌合する幅方向Ｗに沿う凹溝１１ａと、幅方向Ｗの中心部において補強リブ２５ａに嵌合する他の凹溝１１ｃと、が互いに直交する方向に交差して形成されている。上記の他の凹溝１１ｃは、嵌合凹部１１の一方の側面から僅かに突出する程度で設けられている。
【００３８】
受枠保持部１２は、嵌合凹部１１の下面１１ｂにおいて、幅方向Ｗで両側に設けられている。具体的には、集砂受枠４の上端部４Ａの上方に位置する上部係止壁１３と、前記上端部４Ａの両側に位置する側部係止壁１４（幅方向Ｗで外側に位置する方を外壁部１４Ａとし、幅方向Ｗで内側に位置する方を内壁部１４Ｂとする）と、を備えている。そして、側部係止壁１４の下端は、集砂受枠４の上端部４Ａの上面４ａよりも下方に位置している。つまり、受枠保持部１２は、上部係止壁１３と、集砂受枠４の一方の上端部４Ａの両側から挟持する外壁部１４Ａ及び内壁部１４Ｂと、によって凹形状をなしている。
【００３９】
内壁部１４Ｂは、集砂受枠４に対向する面には、下方に向かうに従って漸次、集砂受枠４の上端部４Ａから幅方向Ｗに離れる方向に傾斜するテーパー面１４ａが形成されている。
外壁部１４Ａは、内壁部１４Ｂよりも下方に延びる長さが長く、鉛直方向に延びている。
【００４０】
図３に示すように、内壁部１４Ｂと外壁部１４Ａとの離間は、集砂受枠４の片方の上端部４Ａの幅寸法と一致し、接触する間隔でもよい。或いは、前記上端部４Ａの幅寸法よりも僅かに大きく設けるようにしてもよく、この場合には、施工誤差を吸収することが可能となるので、施工がし易くなるという利点がある。また、上部係止壁１３は、取付部材１０の嵌合凹部１１を上部組付け部材２の周壁リブ２５に挟持するようにして嵌合させた状態で、図４に示すように、集砂受枠４の上面４ａに上方から当接する位置でもよいし、上面４ａに対して僅かに隙間をもたせた位置であってもよい。なお、このような隙間をもたせておくことで、組付け部材２、３の弾性変形や、取付部材１０、集砂受枠４の施工誤差を吸収することが可能となるので、施工性を向上させることができる。
要は、上部係止壁１３と一対の側部係止壁１４Ａ、１４Ｂによって形成される凹部分によって集砂受枠４の上端部４Ａを囲うように設けられていればよい。つまり、この状態において、集砂受枠４は浮き上がりと、幅方向Ｗへの移動と、が受枠保持部１２によって規制され、所望の位置に保持されることになる。
【００４１】
以上説明した集砂受枠の取付部材によれば、以下の作用効果を奏する。
すなわち、図１に示すように、本実施の形態の集砂受枠の取付部材１０では、上部組付け部材２の下面から突設するように設けられており、取付部材１０の上方への移動が上部組付け部材２によって規制され、受枠保持部１２の上下方向の位置が移動しない構成となる。そのため、集砂受枠４が何らかの外力を受けて浮き上がろうとするときに、その上端部４Ａが受枠保持部１２の上部係止壁１３に当接しても、取付部材１０自体は上方へ移動することがないことから、集砂受枠４の浮き上がりを上部係止壁１３によって規制することができる。また、集砂受枠４の上端部４Ａの側方に側部係止壁１４（外壁部１４Ａ及び内壁部１４Ｂ）が位置するので、集砂受枠４が幅方向Ｗ（横方向）へ移動しようとしても、その移動が側部係止壁１４（１４Ａ、１４Ｂ）によって規制されることになる。
【００４２】
したがって、下部組付け部材３に集砂受枠４を取り付ける施工時や、集砂受枠４を高圧ジェット等を用いて洗浄する時などに、集砂受枠４に対して外力が作用しても、集砂受枠４と共に取付部材１０が浮き上がったり、幅方向にずれたりすることがなく、集砂受枠４に対して外れにくくなり、その保持状態を確保することができ、集砂受枠４の位置や姿勢を維持することができる。
そのうえ、取付部材１０が反発力を利用した保持構造ではないので、長期的な使用により反発力が小さくなるのに伴って保持力が低下するといった不具合も生じないことから、集砂受枠４の位置や姿勢を長期的に安定して維持することができる。
【００４３】
また、取付部材１０が本実施の形態のように上部組付け部材２に対して別体で設けられる場合であっても、取付部材１０が上部組付け部材２によって上から押さえ付けられて姿勢が安定しているので、取付部材１０自体に外力が作用しても、その位置や姿勢が動くのを防止することができる。
【００４４】
さらに、雨水貯留浸透槽１を構成する上部組付け部材２に対して直接、取付部材１０を装着することができ、従来のように取付部材と組付け部材との間に、取付部材を取り付けるための別部材が不要となるので、部材費の増大を抑えることができる。
【００４５】
また、取付部材１０には、周壁リブ２５に着脱可能に装着される凹溝状の嵌合凹部１１が形成されているので、上部組付け部材２に装着される取付部材１０は、長さ方向Ｘ（受枠軸方向）への移動が規制される。そのため、取付部材１０が受枠軸方向に動くことがないので、集砂受枠４に対して安定した姿勢で保持することができる。
【００４６】
また、本実施の形態では、周壁リブ２５を用いて取付部材１０を簡単に上部組付け部材２に装着することができる。
しかも、上部組付け部材２の外周部に位置する周壁リブ２５の位置に取付部材１０が配置されるので、組付け部材の外方から取付部材１０を装着することが容易になり、施工性を向上させることができる。そのうえ、組み付け後においても外から見えやすいことから、集砂受枠４に対する保持状態、或いは取付部材１０自体の上部組付け部材２に対する装着状態を目視により確認し易くなるという利点がある。
【００４７】
さらに、本実施の形態の取付部材１０は、集砂受枠４の上端部４Ａが上部係止壁１３と一対の側部係止壁１４（外壁部１４Ａ及び内壁部１４Ｂ）とからなる凹形状部分によって跨るようにして囲まれているので、集砂受枠４の浮き上がり、および幅方向Ｗへの移動を確実に規制することができる。
【００４８】
さらにまた、取付部材１０の内壁部１４Ｂにテーパー面１４ａが形成されており、集砂受枠４の上端部４Ａの幅方向Ｗの両側に位置する外壁部１４Ａおよび内壁部１４Ｂ同士の間隔の開口側（下側）が広がっているので、施工時において集砂受枠４の上端部４Ａに対して受枠保持部１２で保持させる際の施工がし易くなり、施工性を向上させることができる。
【００４９】
上述のように本実施の形態による取付部材１０では、上部組付け部材２によって当該取付部材１０の上方への移動を規制して集砂受枠４に対して外れにくくすることで、取付部材１０の保持状態を確保することができるうえ、集砂受枠４の位置や姿勢を長期的に安定して維持することができる。
【００５０】
次に、本発明の集砂受枠の取付部材による他の実施の形態について、添付図面に基づいて説明するが、上述の第１の実施の形態と同一又は同様な部材、部分には同一の符号を用いて説明を省略し、第１の実施の形態と異なる構成について説明する。
【００５１】
（第２の実施の形態）
図５に示すように、第２の実施の形態による集砂受枠４の取付部材１０Ａは、上部組付け部材２の下面側に設けられる中央リブ２６に着脱可能に装着されている。中央リブ２６は、図６に示すように縦横方向（長さ方向Ｘ及び幅方向Ｗ）に沿って所定の間隔をあけて配置されており、本実施の形態では平面視で中心部分で交差する十字形状の縦横方向の中央リブ２６Ａの高さ寸法が他の中央リブ２６Ｂよりも高さが低く（垂下寸法が短く）設定されている。そして、その中心部分の中央リブ２６Ａに第２の実施の形態による取付部材１０Ａが装着されている。
【００５２】
図６〜図８に示すように、取付部材１０Ａは、嵌合凹部１１が略ハンガー形状をなしており、その中心部分Ｃに縦横が十字形状に交差する凹溝１１ａ、１１ｃが形成されている。すなわち、嵌合凹部１１は、幅方向Ｗの中心部分（凸状部１１１ａ）から両側に向かうに従って漸次、下方に傾斜する支持体１１１と、支持体１１１の凸状部１１１ａから上方に向けて突設されるとともに、上述した十字状の凹溝１１ａ、１１ｃが形成された嵌合部１１２と、を有している。
【００５３】
図７に示すように、支持体１１１の幅方向Ｗの両側に位置する受枠保持部１２は、それぞれ上述した第１の実施の形態と同様に、上部係止壁１３と一対の側部係止壁１４Ａ、１４Ｂとを備えている。内壁部１４Ｂには、集砂受枠４に対向する面において、下方に向かうに従って漸次、集砂受枠４の上端部４Ａから幅方向Ｗに離れる方向に傾斜するテーパー面１４ａが形成されている。そして、外壁部１４Ａにおける幅方向Ｗで集砂受枠４の外側に位置する下端には、集砂受枠４の上縁カール部４３の下端４３ａに係止するツメ部１４ｂが集砂受枠４の側板４２に向けて突出している。
【００５４】
本第２の実施の形態では、集砂受枠４の上縁カール部４３が取付部材１０Ａのツメ部１４ｂによって下方への移動も規制しているので、例えば集砂受枠４がその長さ方向Ｘに沿う軸回り（受枠軸回りを含む）に回転する方向に傾いて、集砂受枠４の一方の上端部４Ａが下方に移動しようとしても、ツメ部１４ｂによって上縁カール部４３の下方への移動が規制されることになり、集砂受枠４に対してより外れにくくなり、その保持状態を確保することができる。
【００５５】
なお、本実施の形態の嵌合凹部１１の形状が十字状をなしているので、交差部でない幅方向Ｗのみの中央リブ２６に対しても装着することができる。
【００５６】
（第３の実施の形態）
図９（ａ）、（ｂ）に示すように、第３の実施の形態の雨水貯留浸透槽１Ａは、上述した第１〜２の実施の形態による雨水貯留浸透槽１（図１、図４等参照）よりも平面形状が大きく、上部組付け部材２Ａ及び下部組付け部材３Ａの中央リブ２６（上部組付け部材２Ａのみ図１０（ｂ）参照）の配列数が多い形状となっている。例えば、上記第１の実施の形態における雨水貯留浸透槽１の上部組付け部材２及び下部組付け部材３の各四辺の１辺の長さが５００ｍｍ（すなわち平面視で５００ｍｍ角）であって、本第３の実施の形態による雨水貯留浸透槽１Ａの上部組付け部材２Ａ、下部組付け部材３Ａはそれぞれ１０００ｍｍ角となる。
【００５７】
上部組付け部材２Ａと下部組付け部材３Ａは、それぞれの中央リブと周壁リブとが平面視で同位置に配置されている。そのため、上部取付け部材２Ａについて具体的に説明し、下部組付け部材３Ｂの説明は省略する。
ここで、上部取付け部材２Ａは、図１０（ａ）に示す矢印の方向に向けて紙面上から下に向かう傾斜板２１を有している。なお、図１０（ａ）には、傾斜板２１の裏面２１ａに取り付けられる本実施の形態の取付部材１０Ｂを破線で示している。また、図１０（ｂ）の二点鎖線は、縦横に延在する中央リブ２６に取り付けられた取付部材１０Ｂを示している。周壁リブ２５は、四辺のうち前記傾斜板２１の最も下った位置の１辺（これを開口縁２１ｂという）を除いた３辺のみに設けられている。
【００５８】
取付部材１０Ｂは、図１０（ａ）、（ｂ）に示すように、中央リブ２６のうち最も開口縁２１ｂ側に位置して幅方向Ｗに沿って延びる取付リブ２６ａに着脱可能に装着されている。
図１１及び図１２に示すように、取付部材１０Ｂの嵌合凹部１１には、長手方向（幅方向Ｗ）に沿って延びる凹溝１１ａが設けられるとともに、縦横が十字形状に交差する十字状凹溝１１ｃが長手方向に間隔をあけて複数（ここでは３箇所）形成されている。隣り合う十字状凹溝１１ｃ同士の間隔は、縦横の中央リブ２６（図１０）が交差する交差部Ｐ（Ｐ１〜Ｐ５）の間隔と一致している。すなわち、取付部材１０Ｂは、３箇所の嵌合部（十字状凹溝１１ｃ）によって上部組付け部材２Ａの取付リブ２６ａに取り付けられている。取付リブ２６ａに設けられる交差部Ｐは、図１０（ｂ）に示すように本実施の形態では５箇所（Ｐ１〜Ｐ５）あり、そのうちの中央の３箇所（Ｐ２、Ｐ３、Ｐ４）に取付部材１０Ｂの十字状凹溝１１ｃが嵌合する。
なお、本実施の形態では、十字状凹溝１１ｃを３箇所としているが、この箇所数は１箇所以上であればよく、５箇所すべての交差部Ｐ１〜Ｐ５に嵌合するように十字状凹溝１１ｃを設けた取付部材１０Ｂであってもかまわない。
【００５９】
本実施の形態では、取付部材１０Ｂの上部組付け部材２Ａに対する装着位置が、上部組付け部材２Ａの開口縁２１ｂに近い取付リブ２６ａであるので、平面視で上部組付け部材２Ａの中央部分に取り付ける場合に比べて視認性を向上させることができ、施工が容易になる利点がある。
【００６０】
また、本実施の形態では、取付部材１０Ｂの取り付け位置、すなわち取付リブ２６ａが平面視で開口縁２１ｂよりも内側に位置しているので、上部組付け部材２Ａから外側へのはみ出しを無くす、或いは少なくすることができ、図９に示す複数の雨水貯留浸透槽１Ａを組み合わせて貯留浸透施設（図１３参照）を組み立てる場合であっても、隣接する雨水貯留浸透槽１Ａ同士が干渉するのを防ぐことができる。
【００６１】
また、本実施の形態の取付部材１０Ｂの受枠保持部１２の形状は、図１１に示すように外壁部１４Ａと内壁部１４Ｂを有する突起、コの字状、Ｖ字状、或いは半円状等であってもよい。本実施の形態のように、受枠保持部１２が下に斜めに広く開くもしくは、斜めに出っ張る形状とすることで、施工時に集砂受枠の上端部を所定の位置までガイドし、施工性を向上することができる。
【００６２】
（第４の実施の形態）
図１３（ａ）〜（ｃ）に示すように、第４の実施の形態の雨水貯留浸透設備Ａは、上述した第１〜第３の実施の形態の雨水貯留浸透槽１、１Ａ、１Ｂを備えることによって構成される設備であって、集砂受枠４の取付部材１０、１０Ａ、１０Ｂを有し、地中に埋設されて道路の表面から流下した雨水を一時的に貯留するとともに外部に放出し浸透させるための設備である。
ここでは、図１に示す第１の実施の形態による雨水貯留浸透槽１を用いた雨水貯留浸透設備Ａの構成について以下説明する。
【００６３】
雨水貯留浸透設備Ａは、下部組付け部材３がＥ方向に複数隣接配置されるとともに長尺の集砂受枠４（図１及び図２参照）が設置され、この下部組付け部材３，３、…上に取付部材１０（図１及び図２参照）を介して上部組付け部材２が複数段積層されて雨水貯留浸透槽１が道路Ｍの路肩下方の地中に埋設されている。このように雨水貯留浸透槽１は、水平方向に下部組付け部材３が複数隣接配置された上方に、鉛直方向に上部組付け部材２を複数段積載されることで、地中に複数の内部空間Ｒからなる雨水の一時的な貯留空間が形成されることになる。
そして、集砂受枠４の両端部が位置する下部組付け部材３には、集砂受枠４内に流下した土砂の堆積状態を確認する点検口５１，５１が設置されている。また、最上段に位置する上部組付け部材２には、不図示の側溝から流下した雨水を収集する集水ますＴが連結され、この集水ますＴから雨水を収集して雨水貯留浸透槽１に流入させるようになっている。
【００６４】
このように雨水貯留浸透設備Ａでは、上述した集砂受枠４の取付部材１０の作用効果を有する雨水貯留浸透槽１を備えた状態で、地中に埋設させて設置することができる。
【００６５】
以上、本発明による集砂受枠の取付部材および雨水貯留浸透設備の実施の形態について説明したが、本発明は上記の実施の形態に限定されるものではなく、その趣旨を逸脱しない範囲で適宜変更可能である。
【００６６】
例えば、上述の本実施の形態では上部組付け部材２および下部組付け部材３がポリプロピレンなどの合成樹脂製の部材のものを採用しているが、このような部材に限定されることはなく、例えばコンクリートや金属製の部材を用いることも可能である。そして、上部組付け部材２や下部組付け部材３の形状、大きさ、リブや周壁部の構成は、限定されるものではなく適宜変更可能である。例えば、上部組付け部材２として傾斜板２１を備えたものでなくても構わない。
【００６７】
また、本実施の形態では、上部組付け部材２の下面に突設するリブ（周壁リブ２５や中央リブ２６）に対して別体の取付部材１０、１０Ａを嵌合により装着しているが、取付部材が別体であることに限らず、取付部材を一体成形した上部組付け部材としてもかまわない。そのため、本実施の形態では取付部材１０、１０Ａが上部組付け部材２のリブに対して嵌合する嵌合凹部１１を備えた構成としているが、このような装着構造に限定されず、他の装着手段であっても良い。
【００６８】
また、本実施の形態では受枠保持部１２の側部係止壁１４として集砂受枠４の上端部４Ａを挟持するように外壁部１４Ａと内壁部１４Ｂを設けた構成としているが、外壁部１４Ａと内壁部１４Ｂのうちいずれか一方のみでもよい。要は、取付部材に設けられる一対の受枠保持部１２のそれぞれが内壁部１４Ｂのみを設けるか、又は外壁部１４Ａのみを設けるようにしてもよい。
さらに、本実施の形態では内壁部１４Ｂにテーパー面１４ａを形成しているが、外壁部１４Ａにテーパー面を形成してもよいし、内壁部１４Ｂと外壁部１４Ａの両方に形成してもよい。また、テーパー面を省略することも可能である。
【００６９】
その他、本発明の趣旨を逸脱しない範囲で、上記した実施の形態における構成要素を周知の構成要素に置き換えることは適宜可能である。
【符号の説明】
【００７０】
１、１Ａ、１Ｂ  雨水貯留浸透槽
２、２Ａ  上部組付け部材
３、３Ａ  下部組付け部材
４  集砂受枠
４Ａ  上端部
４ａ  上面
１０、１０Ａ、１０Ｂ  取付部材
１１  嵌合凹部
１１ａ、１１ｃ  凹溝
１２  受枠保持部
１３  上部係止壁
１４  側部係止壁
１４Ａ  外壁部
１４Ｂ  内壁部
１４ａ  テーパー面
１４ｂ  ツメ部
２１  傾斜板
２５  周壁リブ（横リブ）
２６  中央リブ（横リブ）
４１  底板
４２  側板
４３  上縁カール部
Ａ  雨水貯留浸透設備
Ｗ  幅方向
Ｘ  長さ方向
Ｙ  縦方向
【図１】
2014080857.tif 000003
【図２】
2014080857.tif 000004
【図３】
2014080857.tif 000005
【図４】
2014080857.tif 000006
【図５】
2014080857.tif 000007
【図６】
2014080857.tif 000008
【図７】
2014080857.tif 000009
【図８】
2014080857.tif 000010
【図９】
2014080857.tif 000011
【図１０】
2014080857.tif 000012
【図１１】
2014080857.tif 000013
【図１２】
2014080857.tif 000014
【図１３】
2014080857.tif 000015